(57)【要約】  骨又は骨内に挿入されたインプラントの穴の深さを測るための深さゲージ。この器具は、穴の遠位縁に係合する当接部を端に備えたプローブ、管状本体、及び溝付きインサートを含む。管状本体内に摺動可能に配置されたプローブが、測定されるべき、穴に位置決めされた後、溝付きインサートが、管状本体内で、前方に摺動する。これは、プローブを、穴の壁に向かって横方向に押す。プローブ及び溝付きインサートを一緒に引っ込めたとき、これらは、骨の穴の遠位壁にしっかり係合し、当接部が穴に隣接した遠位壁に係合する。次いで、管状ハウジングを、これが、骨の近位壁に当接するまで前方に押し、小さい直径の穴でも、プローブの後端に配置されたスケール上で、穴の深さの正確な読みを可能にする。
2009511202.tif 000002
【特許請求の範囲】
【請求項１】
骨又は骨と共に挿入されたインプラントの盲穴を測定するための器具であって、
近位端、遠位端、長手方向の軸線、及び前記近位端に設けられたスケールを有する、細長いプローブと、
前記スケールに関して摺動可能に取り付けられたハウジングと、
前記プローブの前記遠位端に形成され、測定されるべき穴に合うように構成され、且つ寸法決めされた当接部と、
プローブの横断面に相当する横断面の、長手方向の溝を有する、細長いインサートと、を含み、前記溝は、前記プローブに関して長手方向の軸線に沿う前記インサートの摺動を可能にするように構成され、且つ寸法決めされ、
前記プローブの前記近位端に向かう前記インサートの摺動は、前記穴に隣接した遠位の壁に向かう前記当接部の移動を引き起こすこと、
を特徴とする器具。
【請求項２】
前記インサートの遠位端は、テーパー部分を含む、
請求項１に記載の器具。
【請求項３】
前記インサートの前記プローブに沿う前記インサートの前向きの移動は、前記プローブ及び前記溝が前記穴から同時に引っ込むのを防止する、
請求項１又は請求項２の何れかの項に記載の器具。
【請求項４】
前記穴の深さを示す印が、前記プローブの前記近位端の前記スケールに沿って延びる、
請求項１乃至請求項３の何れかの項に記載の器具。
【請求項５】
前記プローブの前記近位端は、ネジ部分を含み、
前記器具は、前記プローブの前記近位端の、前記ネジ部分と合うネジ要素をさらに含む、
請求項１乃至請求項４の何れかの項に記載の器具。
【請求項６】
前記ネジ要素は、前記ハウジングを前記穴に隣接した近位壁に押しつけるように構成され、且つ寸法決めされる、
請求項５に記載の器具。
【請求項７】
前記プローブと前記インサートは、共に前記ハウジング内で摺動する、
請求項１乃至請求項６の何れかの項に記載の器具。
【請求項８】
前記ハウジングは、管状である、
請求項１乃至請求項７の何れかの項に記載の器具。
【請求項９】
前記インサートの前記遠位端は、テーパーして鋭い刃となっている、
請求項２に記載の器具。
【請求項１０】
骨又は骨に挿入されたインプラントの盲穴の深さを測定するための方法であって、
近位端、遠位端、長手方向の軸線、及び前記近位端に設けられたスケールを有する、細長いプローブと、
前記スケールに関して摺動可能に取り付けられたハウジングと、
前記プローブの前記遠位端に形成され、測定されるべき穴に合うように構成され、且つ寸法決めされ当接部と、
プローブの横断面に相当する横断面の、長手方向の溝を有する、細長いインサートと、を含み、前記溝は、前記プローブに関して前記インサートの長手方向の軸に沿う摺動を可能にするように構成され、且つ寸法決めされ、
前記プローブの前記近位端に向かう前記インサートの摺動は、前記当接部の前記穴に隣接した遠位の壁に向かう移動を引き起こす測定器具を準備し、
前記プローブの遠位端を前記穴に挿入し、
前記当接部が前記穴に近接した遠位壁に向って移動するように、前記インサートを前記プローブの前記遠位端に向って摺動させ、
前記プローブの前記遠位端の前記当接部が前記穴に隣接した前記遠位壁に係合するまで、前記プローブと前記溝付きインサートを同時に引っ込め、
前記管状ハウジングを前記穴に隣接した近位壁に向かって移動させ、
前記プローブに配置されたスケールから深さの測定値を読む、
ことを含む方法。
【請求項１１】
前記インサートの遠位端は、テーパー部分を含む、
請求項１０に記載の方法。
【請求項１２】
前記インサートの前記遠位端は、テーパーして鋭い刃となっている、
請求項１１に記載の方法。
【請求項１３】
前記プローブに沿う前記インサートの前方の移動は、前記穴からの前記プローブ及び前記溝が同時に引っ込むのを防止する、
請求項１０乃至請求項１２の何れかの項に記載の方法。
【請求項１４】
前記穴の深さを示す、印が前記プローブの前記近位端の前記スケールに沿って延びる、
請求項１０乃至請求項１３の何れかの項に記載の方法。
【請求項１５】
前記プローブの前記近位端は、ネジ部分を含み、
前記器具は、前記プローブの前記近位端に、前記ネジ部分と合うネジ要素をさらに含む、
請求項１０乃至請求項１４の何れかの項に記載の方法。
【請求項１６】
前記ネジ要素を前記プローブの前記ネジ部分に沿って前進させ、前記ハウジングを前記穴に隣接した近位壁に固定するステップをさらに含む、
請求項１５に記載の方法。
【請求項１７】
前記プローブと前記インサートは、共に前記ハウジング内で摺動する、
請求項１０乃至請求項１６の何れかの項に記載の方法。
【請求項１８】
前記ハウジングは、管状である、
請求項１０乃至請求項１７の何れかの項に記載の方法。
【発明の詳細な説明】
【技術分野】
【０００１】
本発明は、測定デバイスに関し、より具体的には、骨及び／又は骨の中に挿入される整形外科用インプラントの穴の深さを決定するための深さゲージに関する。
【背景技術】
【０００２】
盲穴の深さを正確に評価することがしばしば必要である。既存の測定デバイスは、目盛り付きのロッドの一端に、一つのフックを有する。ロッドを、穴に挿入し、フックが、反対側の遠位の壁から出た後、ロッドを、フックが穴の盲縁に当接するまで引っ込める。これらのデバイスの欠点は、主として小さい直径の穴を測定するときに、遠い方の壁から穴の縁にひっかけることは大変困難である。
【０００３】
従来技術の上述の欠点のために、早くて正確な測定をもたらす新しい穴深さ測定器具が必要とされる。プローブが穴の遠位縁にしっかり係合し、盲穴の深さの正確な測定を可能にする器具のさらなる必要がある。
【発明の開示】
【発明が解決しようとする課題】
【０００４】
従って、本発明の目的は、盲穴の深さを測る、簡単で有効なツールを提供することにある。
【０００５】
本発明の他の目的は、プローブが穴の遠位縁にしっかり係合し、盲穴の深さの正確な測定を可能にする器具を提供することにある。
【課題を解決するための手段】
【０００６】
本発明の好ましい実施形態は、対向した近位端及び遠位端を有するプローブを含み、プローブの近位端に配置されたスケールが軸線を定め、軸線に沿って印を呈し、そしてプローブは、その遠位端に当接部を有し、発明の好ましい実施形態は、プローブに配置されたスケールに、摺動可能に取り付けられた管状ハウジング、及び対向した近位端及び遠位端を有する溝付きインサートをさらに含む。溝付きインサートの遠位端は、テーパーして鋭い刃となっている。
【０００７】
上述の目的を達成することによって、本発明は、医療分野に極めて有用である。
【０００８】
本発明の他の目的、利点、及び新規な特徴は、以下の好ましい実施形態の詳細な説明を添付図面と関連して検討したときに、より明らかになる。
【発明を実施するための最良の形態】
【０００９】
本発明の好ましい実施形態を、添付図面に開示し、同様の参照文字は、幾つかの図面を通して同様の要素を示す。
【００１０】
以下、本発明の好ましい実施形態を、図１及び図２を参照して説明する。
【００１１】
図１は、本発明の深さ測定ツールの好ましい実施形態を示す。溝付きインサート４の溝５と係合したプローブ１は、溝付きインサート４に関して、プローブ１の長手方向軸線に沿って自由に摺動することができる。管状ハウジング８が、プローブ１と溝付きインサート４に、摺動可能に取り付けられる。
【００１２】
分解されたシステムが、図２ではっきり解り、システムの三つの構成要素、即ちプローブ１、溝付きインサート４、及び管状ハウジング８が示される。プローブは、遠位端に当接部２を有し、近位端に配置されたスケール３を有する。溝付きインサート４は、プローブ１に収容する溝５、近位端７、及び測定されるべき穴１０の近位の境界との衝突を回避するために設計されたテーパー付き遠位端６を含む。管状ハウジング８は、溝付きインサート４及びインサート内のプローブ１を収容するように寸法決めされる。
【００１３】
他の好ましい実施形態では、プローブ１は、スケール３が目標とされる釘の正確な位置をマークするのを可能にする間、雌ネジ付きデバイスが管状ハウジング８を近位の骨の壁に対して押すために使用できるように、近位端に、雌ネジ付きデバイスを受けるように構成された雄ネジを含んでもよい。
【００１４】
以下、本発明の好ましい実施形態を、図３から図６を参照して、説明する。
【００１５】
図３に最もよく示されているように、溝付きインサート４を引っ込めたとき、プローブ１を、骨の穴９内に容易に挿入して、穴に通し、管状ハウジングは、後ろに位置する。
【００１６】
次いで、図４にはっきり示されているように、溝付きインサート４を、その最終目的地まで前方に移動させて、プローブ１を骨の穴の上壁１０に向かって上方に押す。溝付きインサート４のテーパー付遠位端６は、溝付きインサート４が骨の穴の壁１０に当接するのを防ぐ。
【００１７】
プローブ１と溝付きインサート４を、骨９に関して一緒に引っ込めたとき、プローブ１の当接部２は、図５に示すように、遠位の骨の壁にしっかりと係合する。
【００１８】
図６は、測定手順の最終ステップを示す。管状ハウジング８を、近位の骨の壁に当接するまで、前方に押し、プローブ１の後端に位置するスケール３上での穴の深さの正確な読みを可能にする。
【００１９】
発明の好ましい実施形態を示し、且つ説明したが、当業者は、添付の特許請求の範囲に記載されているように、発明の精神及び範囲から逸脱することなく、変更及び修正を工夫することができることを理解すべきである。
【図面の簡単な説明】
【００２０】
【図１】本発明の深さゲージシステムの好ましい実施形態の斜視図である。
【図２】図１に示す分解した深さゲージシステムの斜視図である。
【図３】図１に示す深さゲージシステムを採用した好ましい外科技術の第１ステップの側面図である。
【図４】図１に示す深さゲージシステムを採用した好ましい外科技術の第２ステップの側面図である。
【図５】図１に示す深さゲージシステムを採用した好ましい外科技術の第３ステップの側面図である。
【図６】図１に示す深さゲージシステムを採用した好ましい外科技術の第４ステップの側面図である。
【図１】
2009511202.tif 000003
【図２】
2009511202.tif 000004
【図３】
2009511202.tif 000005
【図４】
2009511202.tif 000006
【図５】
2009511202.tif 000007
【図６】
2009511202.tif 000008
【国際調査報告】
2009511202.tif 000009
2009511202.tif 000010